(57)【特許請求の範囲】
【請求項１】
単電池が複数直列に接続されて単組電池が構成され、公称容量が等しい前記単組電池が複数並列に接続された組電池に対して負荷設備が並列に接続され、商用電源に接続された整流器からの直流電力を前記組電池と前記負荷設備とに供給するとともに、前記商用電源の停電発生時を除く通常運転時は常に前記組電池が前記整流器によってフロート充電され、前記単組電池が複数並列に接続された組電池を管理する組電池管理装置であって、
前記各単組電池の前記フロート充電時の充電電流を測定する電流測定手段と、
前記各単組電池の前記電流測定手段による使用初期の前記フロート充電の充電電流値を記憶する記憶手段と、
前記単組電池の各単電池の前記フロート充電時の電圧を測定する電圧測定手段と、
前記各単組電池について前記記憶手段による使用初期の前記フロート充電の充電電流値と前記電流測定手段による使用経過後の前記フロート充電の充電電流値との差を算出して充電電流変動値とし、前記単組電池の充電電流変動値に基づいて前記複数の単組電池のなかから特定の単組電池の異常を判定する判定手段と、
前記判定手段で異常であると特定された前記単組電池について前記電圧測定手段によって測定された電圧に基づいて異常状態にある単電池を特定する単電池判定手段と、
を備えることを特徴とする組電池管理装置。
【請求項２】
単電池が複数直列に接続されて単組電池が構成され、公称容量が等しい前記単組電池が複数並列に接続された組電池に対して負荷設備が並列に接続され、商用電源に接続された整流器からの直流電力を前記組電池と前記負荷設備とに供給するとともに、前記商用電源の停電発生時を除く通常運転時は常に前記組電池が前記整流器によってフロート充電され、前記単組電池が複数並列に接続された組電池を管理する組電池管理方法であって、
前記各単組電池の前記フロート充電時の充電電流を電流測定手段によって測定し、
前記各単組電池の使用初期の前記フロート充電の充電電流値を記憶手段によって記憶し、
前記単組電池の各単電池の前記フロート充電時の電圧を電圧測定手段によって測定し、
前記各単組電池について使用初期の前記フロート充電の充電電流値と使用経過後の前記フロート充電の充電電流値との差を算出して充電電流変動値とし、前記単組電池の充電電流変動値に基づいて前記複数の単組電池のなかから特定の単組電池の異常を判定手段によって判定し、
前記判定手段で異常であると特定された前記単組電池について前記電圧測定手段によって測定された電圧に基づいて単電池判定手段により異常状態にある単電池を特定する、
ことを特徴とする組電池管理方法。
【請求項３】
単電池が複数直列に接続されて単組電池が構成され、公称容量が等しい前記単組電池が複数並列に接続された組電池に対して負荷設備が並列に接続され、商用電源に接続された整流器からの直流電力を前記組電池と前記負荷設備とに供給するとともに、前記商用電源の停電発生時を除く通常運転時は常に前記組電池が前記整流器によってフロート充電され、前記単組電池が複数並列に接続された組電池システムであって、
前記各単組電池の前記フロート充電時の充電電流を測定する電流測定手段と、
前記各単組電池の前記電流測定手段による使用初期の前記フロート充電の充電電流値を記憶する記憶手段と、
前記単組電池の各単電池の前記フロート充電時の電圧を測定する電圧測定手段と、
前記各単組電池について前記記憶手段による使用初期の前記フロート充電の充電電流値と前記電流測定手段による使用経過後の前記フロート充電の充電電流値との差を算出して充電電流変動値とし、前記単組電池の充電電流変動値に基づいて前記複数の単組電池のなかから特定の単組電池の異常を判定する判定手段と、
前記判定手段で異常であると特定された前記単組電池について前記電圧測定手段によって測定された電圧に基づいて異常状態にある単電池を特定する単電池判定手段と、
を備えることを特徴とする組電池システム。
【発明の詳細な説明】
【技術分野】
【０００１】
この発明は、単電池が複数直列に接続されて単組電池が構成され、単組電池が複数並列に接続された組電池を管理する組電池管理装置および組電池管理方法ならびに組電池システムに関する。
【背景技術】
【０００２】
鉛蓄電池は、電池材料コストが低いために単電池（セル）の価格が低く、大容量電池の作製も容易であることから、これまでに各種バックアップ用電池や自動車用蓄電池として広く使用されてきている。一方、近年では、鉛蓄電池と同様の定電流定電圧充電による使用が可能で、鉛蓄電池よりもエネルギー密度が高いなどという利点を有するリチウムイオン二次電池が着目され、自動車用蓄電池や電気・電子機器用蓄電池などとして鉛蓄電池に置き換えて使用されてきている。ところで、二次電池の使用にあたっては、使用目的に応じた電圧や容量を得るために、単電池である鉛蓄電池、リチウムイオン二次電池を複数接続して単組電池を構成し、使用することが多い。このようにして単組電池として使用する場合、充電時において各単電池の充電状態にバラツキが生じる場合がある。そして、単組電池内にこのような電圧のバラツキがあると、電圧の低い単電池は早期に放電終止電圧を下回って、過放電状態に陥りやすく、過放電状態においては異常発熱が生じるおそれがある。
【０００３】
そこで、内部抵抗が高くなった電池の熱劣化を促進させないために、単電池x個と1つの電流値計測手段を直列に接続した電池列と、電池列をy列並列に接続した電池群と、電流値計測手段からの電流値計測信号に基づいて電流値を検知、比較し、充放電開始または停止を制御する組電池に関する技術（例えば、特許文献１参照。）が知られている。
【０００４】
また、組電池や単組電池の異常を判定するための、停電後または放電容量試験を制御する手段のリセット後に放電容量試験を最初に実行すべき二次電池セル列を、組電池の中からランダムに選択し、放電させて容量を確認する技術（例えば、特許文献２参照。）や、並列セルブロックの各々の電圧を検出する電圧検出部と、二次電池ブロックの通電電流を検出する電流検出部と、通電前後の並列セルブロックの電圧変化量を算出すると共に、二次電池ブロックの通電前後の電流変化量を算出し、算出した電圧変化量及び電流変化量から各並列セルブロックの直流内部抵抗を算出する演算部と、算出された直流内部抵抗を基に、セルの異常を判定する電池監視装置に関する技術が知られている（例えば、特許文献３参照。）。
【先行技術文献】
【特許文献】
【０００５】
【特許文献１】特開２００３−０５９５４１号公報
【特許文献２】特開平１０−００２９４３号公報
【特許文献３】特開２００６−１３８７５０号公報
【発明の概要】
【発明が解決しようとする課題】
【０００６】
ところで、複数の単組電池で組電池を構成した場合には、異常発熱などのリスク、危険性が高まり、また、一部の単組電池の異常が組電池全体の障害を引き起こすおそれがある。このため、単組電池を組電池として使用する場合には、より高い安全性が求められ、単組電池の異常を迅速、かつ、確実に判定する必要がある。特に、リチウムイオン二次電池を用いた電源装置では、通常、組電池毎に電圧監視などで内部短絡の検出が行われているが、上述のように、リチウムイオン二次電池は鉛電池などに比べてエネルギー密度が高いので、安全性の観点から単組電池における内部短絡、断線などの異常を的確に把握する技術が求められる。
【０００７】
そこでこの発明は、複数の単組電池を組電池として使用する場合に、内部短絡、断線など単組電池の異常を的確に把握することが可能な組電池管理装置および組電池管理方法を提供することを目的とする。
【課題を解決するための手段】
【０００８】
上記目的を達成するために請求項１に記載の発明は、単電池が複数直列に接続されて単組電池が構成され、公称容量が等しい前記単組電池が複数並列に接続された組電池に対して負荷設備が並列に接続され、商用電源に接続された整流器からの直流電力を前記組電池と前記負荷設備とに供給するとともに、前記商用電源の停電発生時を除く通常運転時は常に前記組電池が前記整流器によってフロート充電され、前記単組電池が複数並列に接続された組電池を管理する組電池管理装置であって、前記各単組電池の前記フロート充電時の充電電流を測定する電流測定手段と、前記各単組電池の前記電流測定手段による使用初期の前記フロート充電の充電電流値を記憶する記憶手段と、前記単組電池の各単電池の前記フロート充電時の電圧を測定する電圧測定手段と、前記各単組電池について前記記憶手段による使用初期の前記フロート充電の充電電流値と前記電流測定手段による使用経過後の前記フロート充電の充電電流値との差を算出して充電電流変動値とし、前記単組電池の充電電流変動値に基づいて前記複数の単組電池のなかから特定の単組電池の異常を判定する判定手段と、前記判定手段で異常であると特定された前記単組電池について前記電圧測定手段によって測定された電圧に基づいて異常状態にある単電池を特定する単電池判定手段と、を備えることを特徴とする。
【０００９】
この発明によれば、各単組電池間で充電電流の相対比較が行われ、他の単組電池に対して著しく充電電流が異なる特定の単組電池が異常であると判定される。すなわち、特定の単組電池の充電電流が他の単組電池に比べて著しく増加している場合は、特定の単組電池で内部短絡が生じていると判定され、特定の単組電池に充電電流がまったく流れていない場合は、特定の単組電池で断線が生じていると判定される。
【００１３】
請求項２に記載の発明は、単電池が複数直列に接続されて単組電池が構成され、公称容量が等しい前記単組電池が複数並列に接続された組電池に対して負荷設備が並列に接続され、商用電源に接続された整流器からの直流電力を前記組電池と前記負荷設備とに供給するとともに、前記商用電源の停電発生時を除く通常運転時は常に前記組電池が前記整流器によってフロート充電され、前記単組電池が複数並列に接続された組電池を管理する組電池管理方法であって、前記各単組電池の前記フロート充電時の充電電流を電流測定手段によって測定し、前記各単組電池の使用初期の前記フロート充電の充電電流値を記憶手段によって記憶し、前記単組電池の各単電池の前記フロート充電時の電圧を電圧測定手段によって測定し、前記各単組電池について使用初期の前記フロート充電の充電電流値と使用経過後の前記フロート充電の充電電流値との差を算出して充電電流変動値とし、前記単組電池の充電電流変動値に基づいて前記複数の単組電池のなかから特定の単組電池の異常を判定手段によって判定し、前記判定手段で異常であると特定された前記単組電池について前記電圧測定手段によって測定された電圧に基づいて単電池判定手段により異常状態にある単電池を特定する、ことを特徴とする。
【００１５】
請求項３に記載の発明は、単電池が複数直列に接続されて単組電池が構成され、公称容量が等しい前記単組電池が複数並列に接続された組電池に対して負荷設備が並列に接続され、商用電源に接続された整流器からの直流電力を前記組電池と前記負荷設備とに供給するとともに、前記商用電源の停電発生時を除く通常運転時は常に前記組電池が前記整流器によってフロート充電され、前記単組電池が複数並列に接続された組電池システムであって、前記各単組電池の前記フロート充電時の充電電流を測定する電流測定手段と、前記各単組電池の前記電流測定手段による使用初期の前記フロート充電の充電電流値を記憶する記憶手段と、前記単組電池の各単電池の前記フロート充電時の電圧を測定する電圧測定手段と、前記各単組電池について前記記憶手段による使用初期の前記フロート充電の充電電流値と前記電流測定手段による使用経過後の前記フロート充電の充電電流値との差を算出して充電電流変動値とし、前記単組電池の充電電流変動値に基づいて前記複数の単組電池のなかから特定の単組電池の異常を判定する判定手段と、前記判定手段で異常であると特定された前記単組電池について前記電圧測定手段によって測定された電圧に基づいて異常状態にある単電池を特定する単電池判定手段と、を備えることを特徴とする。
【発明の効果】
【００１７】
請求項１〜３に記載の発明によれば、単組電池の充電電流の相対比較に基づいて、組電池を構成する単組電池の内部短絡や断線などの異常を的確に判定することができ、組電池の安全性を確保することができる。また、異常の単組電池を容易に特定することができることから、異常の単組電池のみについて対策を施すことにより、停電発生時の組電池によるバックアップ機能・予備電源としての機能を維持することができる。
【００１８】
請求項１〜３に記載の発明によれば、使用初期の充電電流値と使用経過後の充電電流値との差である充電電流変動値に基づいて、複数の単組電池のなかから特定の単組電池の異常を判定するようにしているので、単組電池間に使用初期において特性にバラツキがある場合でも、単組電池の異常を正確に判定することができる。また、充電電流変動値に基づき、経年による単組電池の内部抵抗の変化を知ることができ、単組電池の劣化度を把握することが可能となる。
【００１９】
請求項１〜３に記載の発明によれば、単組電池の電圧測定手段によって測定された電圧に基づいて異常状態にある単電池を特定するので、多くの単電池の中から異常状態の原因となった単電池を容易に特定することができる。そのため、異常が特定された単電池の交換をより迅速に行うことができ、組電池をより迅速に正常な状態に復旧させることができる。
【図面の簡単な説明】
【００２０】
【図１】この発明の実施の形態１に係る組電池システムの適用例を示す概略構成図である。
【図２】図１の組電池システムにおける組電池監視制御部の概略構成図である。
【図３】図１の単組電池の充電電流の相対比較を示す特性図である。
【図４】図１の単組電池の充電電流の相対比較を示す特性図である。
【図５】図１の単組電池の充電電流の相対比較を示す特性図である。
【図６】図１の単組電池の充電電流の相対比較を示す特性図である。
【図７】図１の単組電池の充電電流変動値を示す特性図である。
【図８】図１の単組電池の充電電流変動値を示す特性図である。
【図９】図１の単組電池の充電電流変動値を示す特性図である。
【発明を実施するための形態】
【００２１】
以下、この発明を図示の実施の形態に基づいて説明する。
【００２２】
（実施の形態１）
図１ないし図６は、この実施の形態に係る組電池システム１を整流装置に適用した状態を示す概略構成図である。この実施の形態では、単組電池３を負荷設備１０２のバックアップ電源とし、整流器１０１によってフロート充電で運用する場合について説明する。
【００２３】
この組電池システム１は、主として、図１に示すように、単電池２としてのリチウムイオン二次電池が複数直列に接続されて単組電池３が構成され、さらにこの単組電池３が複数並列に接続されてリチウムイオン組電池（組電池）３Ａが構成されており、このような組電池３Ａを管理する組電池管理装置４Ａを備えるものである。ここで、組電池３Ａは、後述するように、フロート充電で運用され、停電発生時を除く通常運用時は常に充電状態となっている。この実施の形態においては、すべての単組電池３の公称容量は同一となっている。
【００２４】
組電池３Ａは、負荷設備１０２と並列に電力供給系統１００に接続されている。すなわち、負荷設備１０２と組電池３Ａは、整流器１０１を介して、商用電源１００に接続されており、商用電源１００からの交流電力が整流器１０１によって直流電力に変換され、この直流電力が負荷設備１０２および組電池３Ａに供給されるようになっている。
【００２５】
組電池３Ａは、組電池管理装置４Ａによって管理されている。組電池管理装置４Ａは、単組電池監視制御装置４、ダイオード５、組電池監視制御装置６、電流計測手段７、総電圧電流計測部８を有している。各単組電池３には、単組電池監視制御装置４が取り付けられている。この単組電池監視制御装置４は、単組電池３の温度、単組電池３の電圧、各単電池２の電圧を測定する装置であり、具体的には、単組電池３の両端子に接続され単組電池３の電圧を測定する単組電池電圧計（図示略）と、単組電池３の温度を測定する単組電池温度計（図示略）と、単電池２の電圧を測定する単電池電圧計（図示略）とを備えている。すべての単電池２には、所定の電圧まで充電された場合に、過充電を防止するために、並列にダイオード５が接続されている。
【００２６】
図１に示すように、電流計測手段７は、３つの単組電池３にそれぞれ設けられており、整流器１０１から各単組電池３に向けて流れる充電電流を計測する機能を有している。電流計測手段７は、停電時における単組電池３からの放電電流も計測する機能を有している。
【００２７】
組電池監視制御装置６は、図２に示すように、商用電源１００からの電力を制御に必要な電力に変換する電源部６ａを有している。電源部６ａには、判定手段６ｂが接続されている。判定手段６ｂは、測定条件設定値入力部６ｃ、組電池情報記憶部６ｄ、演算部６ｅ、データ入力部６ｆとから構成されている。測定条件設定値入力部６ｃは、判定精度を高めるための測定条件を入力する部位であり、例えばコンピュータのキーボードなどから構成されている。組電池情報記憶部６ｄは、例えば単組電池３を構成する単電池２の初期の放電特性などを記憶する機能を有している。演算部６ｅは、組電池情報記憶部６ｄからの情報と、データ入力部６ｆを介して入力された各単組電池３の使用初期の充電電流Ｉｃの情報とに基づき、各単組電池３の異常を判定する機能を有している。警報部６ｇは、単組電池３が異常と判定された場合や、異常のある単電池２が特定された場合に、警報を発するものであり、警報ランプや警報ブザーや警報画面などで構成されている。
【００２８】
組電池監視制御装置６は、単組電池３の充電電流Ｉｃと他の単組電池３の充電電流Ｉｃとの差に基づいて、次のように判定する機能を有している。ここで、組電池３Ａの組電池総電圧をＶとし、組電池充電電流がＩｃｔ一定とする。そして、各単組電池３の公称容量が等しい場合は、図３に示すように、すべての単組電池３（単組電池Ａ、Ｂ、Ｃ）の充電電流Ｉｃが等しくなり、この場合は、すべての単組電池３は正常であると判定する。
【００２９】
また、図４に示すように、組電池監視制御装置６は、単組電池３のいずれか（単組電池Ａ）の充電電流がＩｃ＋αであり、他の単組電池（単組電池Ｂ、Ｃ）の充電電流Ｉｃよりも著しく大きい場合には、当該単組電池Ａは内部短絡を起こしている、つまり、異常であると判定する。この場合、組電池充電電流はＩｃｔ＋αとなるが、組電池総電圧はＶのままである。また、図５に示すように、組電池監視制御装置６は、単組電池３のいずれか（単組電池Ａ）の充電電流がＩｃ＋β（α＜β）であり、他の単組電池（単組電池Ｂ、Ｃ）では放電電流が測定されている場合は、当該単組電池Ａは内部短絡を起こしている、つまり、異常状態であると判定する。
【００３０】
さらに、図６に示すように、組電池総電圧Ｖが変化せず、組電池３Ａ全体の充電電流Ｉｃｔが低下し、さらに、単組電池３のいずれか（単組電池Ａ）の充電電流が０である場合は、当該単組電池Ａは断線が生じている、つまり、異常であると判定する。これは、断線によって当該組電池（単組電池Ａ）に充電電流が流れなくなるためである。このとき、他の単組電池（単組電池Ｂ、Ｃ）の充電電流Ｉｃは等しい値になっている。なお、この時、別途測定している単組電池総電圧や、単電池電圧の測定値も併用することで異常（断線）判断の正確さが増す。
【００３１】
ここで、異常である単組電池Ａの温度は、他の単組電池Ｂ、Ｃの温度より高温となっている。これは、単組電池Ａにおける内部短絡の発生に伴い、単組電池Ａを流れる充電電流Ｉｃが増加するためである。したがって、測定している温度情報を併用することによって、単組電池３の異常検出の精度向上を図ることが出来る。
【００３２】
上記のように単組電池Ａが異常状態にあると判定された場合には、単組電池Ａの単組電池監視制御装置４から受信した各単電池２の単電池電圧に基づいて、異常の原因となっている単電池２を特定する。そして、組電池監視制御装置６は、警報部６ｇに信号を送信し、警報部６ｇは異常状態にある単組電池Ａと単電池２とを表示する。
【００３３】
次に、組電池管理システム１を用いた組電池管理方法および作用について説明する。
【００３４】
フロート充電においては、整流器１０１から負荷設備１０２および組電池３Ａに対して直流電力が供給され、組電池３Ａの各単組電池３が充電される。この充電時においては、単組電池監視制御装置４によって、単組電池３の温度、単組電池３の単組電池総電圧および単電池２の単電池電圧が測定され、電流計測手段７によって単組電池３の充電電流Ｉｃが測定される。また、総電圧電流計測部８によって組電池３Ａの組電池総電圧Ｖおよび総充電電流Ｉｃｔが測定される。
【００３５】
組電池監視制御装置６は、電流計測手段７によって測定された各単組電池３の充電電流Ｉｃと他の単組電池３の充電電流Ｉｃとの差に基づいて、単組電池３の異常を判定する。図１に示すように、３つの単組電池Ａ、Ｂ、Ｃのうち、単組電池Ａの充電電流がＩｃ＋αであり、単組電池Ｂ、Ｃの充電電流Ｉｃより著しく大きい場合は、異常であると判定される。また、単組電池Ａの充電電流がＩｃ＋β（α＜β）であり、単組電池Ｂ、Ｃでは放電電流（＜Ｉｃ）が測定されている場合も異常と判定される。さらに、単組電池Ａの充電電流がＩｃ＝０である場合は、単組電池Ａは異常であると判断される。
【００３６】
このように、単組電池の充電電流の相対比較に基づいて、組電池３Ａを構成する単組電池３の内部短絡や断線などの異常を的確に判定することができ、組電池３Ａの安全性を確保することができる。また、異常の単組電池３を容易に特定することができることから、異常の単組電池３のみについて対策を施すことにより、停電発生時の組電池によるバックアップ機能・予備電源としての機能を維持することができる。そして、異常状態にある単組電池３があると判定された場合には、警報が発せられるので、即時に当該単組電池３を交換することができ、異常状態での充電・放電を阻止することができる。
【００３７】
さらに、異常状態であると判定された単組電池３の中の単電池電圧の測定値に基づいて、異常状態にある単電池２を特定することができる。そのため、異常の検出とともに原因となっている単電池２が特定されるので、異常の判定された単組電池３について、単電池２の交換、修理をより迅速に行うことができる。つまり、組電池をより迅速に復旧させることができる。
【００３８】
（実施の形態２）
図７ないし図９は、この実施の形態２に係る組電池システム１における使用期間に対する充電電流変動値を示している。この実施の形態では、単組電池３が異常状態であるか否かの判定方法が、実施の形態１と異なり、その他の構成については、実施の形態１と同等である。なお、この実施形態においても、各単組電池３の公称容量は等しいものとする。
【００３９】
この実施の形態２では、充電時において、組電池監視制御装置６の単組電池３の充電電流変動値に基づいて、当該単組電池３の異常を判定する。ここで、各単組電池３が正常な場合は、図７に示すように、全ての単組電池３の充電電流変動値は略０である。つまり、すべての単組電池３の充電電流変動値が略０の場合は、すべての単組電池３は正常であると判定する。
【００４０】
また、図８に示すように、組電池３Ａの使用期間ｔ１である場合において、３つの単組電池３のうち例えば単組電池Ａの充電電流変動値が著しく大である場合は、単組電池Ａは内部短絡を起こしている、つまり、異常であると判定する。このとき、異常でない他の単組電池（単組電池Ｂ、Ｃ）の充電電流変動値は略０である。
【００４１】
さらに、図９に示すように、組電池３Ａの使用期間ｔ２である場合において、３つの単組電池３のうち例えば単組電池Ａの充電電流変動値が著しく減少し、充電電流Ｉｃ＝０となった場合は、単組電池Ａには断線が生じている、つまり、異常であると判定する。これは、断線によって単組電池Ａに充電電流Ｉｃが流れなくなるためである。このとき、異常でない他の単組電池（単組電池Ｂ、Ｃ）の充電電流変動値は略０である。
【００４２】
組電池３Ａを一定期間運用することにより、単電池２の内部抵抗が使用初期に比べて増加することになる。この単電池２の内部抵抗の増加は充電電流の変化となって表れるので、電流計測手段７によって計測される各単組電池３の充電電流を使用初期の充電電流と比較することにより、各単組電池３の劣化度を把握することが可能となる。
【００４３】
このように構成された実施の形態２においては、使用初期の充電電流値と使用経過後の充電電流値との差である充電電流変動値に基づいて、単組電池３の異常を判定するようにしているので、単組電池３間に使用初期において特性にバラツキがある場合でも、単組電池３の異常を正確に判定することができる。また、充電電流変動値に基づき、経年による単組電池３の内部抵抗の変化を知ることができ、単組電池３の劣化度を把握することが可能となる。
【００４４】
以上、この発明の実施の形態について説明したが、具体的な構成は、上記の実施の形態に限られるものではなく、この発明の要旨を逸脱しない範囲の設計の変更等があっても、この発明に含まれる。例えば、単組電池監視制御装置４と組電池監視制御装置６とを一体にしてもよい。また、単組電池３が異常状態にあると判定された場合には、警報部６ｇから警報が発せられるとともに、異常のある単組電池３を回路から切り離すように、組電池監視制御装置６から充電スイッチ（図示略）に制御信号を送信するようにしてもよい。
【００４５】
さらに、単組電池３を整流装置に適用した場合について説明したが、無停電電源装置（ＵＰＳ：Ｕｎｉｎｔｅｒｒｕｐｔｉｂｌｅ  Ｐｏｗｅｒ  Ｓｕｐｐｌｙ）や自動車用蓄電池などにも適用することができる。
【００４６】
なお、上述の実施例においては電源システムに常設する使用形態で示したが、可搬型とし、必要に応じて対象電源に設置して組電池３Ａの異常検出を行ってもよい。また、図１に示した実施例では、リチウムイオン電池を例として、単組電池監視制御装置４を含んだ構成で示したが、本願の対象は、このような単組電池監視制御装置４を含まない鉛蓄電池に適用することも可能である。同様に、他の種類の二次電池の組電池への適用も可能である。
【００４７】
さらに、上述の実施例では、複数並列で使用される単組電池３の公称容量を同一として説明したが、各単組電池３の公称容量が同一でない場合にも適用可能である。この場合は、単組電池３の容量に応じて通電されるフロート充電電流値を基準として、それらの変化を追跡すればよい。
【符号の説明】
【００４８】
１          組電池システム
２          単電池
３          単組電池
３Ａ        組電池
４          単組電池監視制御装置
４Ａ        組電池管理装置
６          組電池監視制御装置
７          電流計測手段
８          総電圧電流計測部
１００      商用電源
１０１      整流器
１０２      負荷設備
Ｉｃ        フロート充電電流
Ｉｃｔ      組電池総充電電流
Ｖ          組電池総電圧
【図１】
0005773609.tif 000002
【図２】
0005773609.tif 000003
【図３】
0005773609.tif 000004
【図４】
0005773609.tif 000005
【図５】
0005773609.tif 000006
【図６】
0005773609.tif 000007
【図７】
0005773609.tif 000008
【図８】
0005773609.tif 000009
【図９】
0005773609.tif 000010